(57)【要約】【課題】本発明は、従来の構成が有していた課題を解決するのに、可動体側部で固定体に保持される転動体を床面から浮かせて配置して可動体の接地により定置し、可動体の傾斜により転動体を接地させて移動を可能にして制動装備を省略し、均整のとれた意匠にして後付け設置が容易で簡便な用途に沿ったキャスターを考案して顧客ニーズに応える。【解決手段】可動体１に固定する固定体２及び前記固定体２に保持される転動体３を有するキャスター４であって、前記固定体２は、床面５と接する床接地面６、前記可動体１の側面７と接する固定座面８、前記転動体３を前記可動体１の前記側面７側、かつ、前記可動体１の下面９より上側で保持する保持部１０を有し、前記保持部１０は、前記床面５と前記転動体３との間に隙間１１を設けて前記転動体３を浮かせて配置する転動体受け部１２を有し、可動時にのみ前記可動体の自重を負担させる構成としている。【選択図】  図１
2015221612.tif 000002
【特許請求の範囲】
【請求項１】
可動体に固定する固定体及び前記固定体に保持される転動体を有するキャスターであっ
て、
前記固定体は、
前記可動体に固定するための固定座及び固定座面と、
前記転動体を前記可動体の側面側、かつ、前記可動体の下面より上側で保持する保持部を
有し、
前記保持部は、
前記転動体と床面との間に隙間を設けて前記転動体を浮かせて配置する転動体受け部、を
有するキャスター。
【請求項２】
前記固定体は、平状固定部材を有し、前記平状固定部材によって前記可動体の側面と接
する前記固定座及び固定座面が、形成される請求項1記載のキャスター。
【請求項３】
前記固定体は、更に、前記床面と接する前記床接地座及び床接地座面と対抗して位置
し、前記可動体の前記下面と接する前記可動体接地座を有し形成される請求項1記載のキ
ャスター。
【請求項４】
前記固定体は、Ｌ形状固定部材を有し、前記Ｌ形状固定部材によって、前記固定座及び
固定座面と、前記可動体接地座が形成される請求項３記載のキャスター。
【請求項５】
前記固定体は、両端が解放する筒状固定部材を有し、前記筒状固定部材の内面が前記固
定座及び固定座面を形成される請求項１記載のキャスター。
【請求項６】
前記固定体は、一端が閉じられる箱状固定部材を有し、前記箱状固定部材の前記内面に
よって前記固定座及び固定座面と、前記可動体接地座が形成される請求項２記載のキャス
ター。
【請求項７】
可動体に固定する固定体及び前記固定体に保持される転動体を有するキャスターであっ
て、
前記固定体は、
前記床面と接する床接地座及び床接地座面、
前記可動体の下面と接する前記固定座及び固定座面、
前記転動体を前記可動体の側面側、かつ、前記可動体の前記下面より下側で保持する前記
保持部を有し、
前記保持部は、
前記転動体の前記床面との間に隙間を設けて前記転動体を浮かせて配置する前記転動体受
け部、
を有するキャスター。
【請求項８】
前記固定体は、凹状固定部材を有し、前記凹状固定部材によって、前記固定座及び固定
座面と、前記床接地座及び床接地座面が形成される請求項７記載のキャスター。
【発明の詳細な説明】
【技術分野】
【０００１】
本発明は、可動体を一時的に移動して定置するのに、可動体に固定される固定体に保持
した転動体と床面との間に隙間を設けて転動体を浮かせて設置したキャスターに関する。
【背景技術】
【０００２】
従来の可動体に使用されている汎用キャスターは、可動体の下部に固定されて転動体と
床面は常時接地させて可動を行い、定置するのに制動機能が装備されている。又、可動体
には固定キャスターと旋回キャスターを組合せて使用しており、このような汎用キスター
を可動家具類に使用した場合の課題を洗い出し、その解決に向けて先行技術文献に示す木
製椅子への取付け容易化及びキャビネットに可動機能を備えた可動家具用のキャスターが
考案されている。
【０００３】
以下、先行技術文献について説明する。「木製椅子用キャスター（例えば、特許文献１
」では、その課題として「木製椅子に容易に取付け可能なキャスターとして脚の下面と側
面で常時荷重を負担する支持座を設けて汎用キャスターと一体に形成した木製椅子用キャ
スターが考案されている。又、「収納家具用キャスター（例えば、特許文献２」は、可動
フレームに汎用キャスターを設置してキャビネット下面より車輪を突出させて収納家具を
移動し、車輪をキャビネット内に沈ませてキャビネット下面を床面に接地させて収納家具
を定置させる収納家具用キャスターとし、定置するのにキャビネットを傾斜させるか、操
作杆で車輪を上下させる方法としている。
【先行技術文献】
【特許文献】
【０００４】
【特許文献１】特開平８−１６９２０４号公報
【特許文献２】特開２００７−１１２１９４号公報
【発明の概要】
【発明が解決しようとする課題】
【０００５】
以上に述べた先行文献及び実施例から予想される課題として、「特許文献１」の考案で
は、Ｌ型及びＵ型支持座を汎用キャスターに追加して固定ネジで固定して常時荷重を負担
させており強度的に不利な構成になっている。又「特許文献２」の考案は大掛かりで、多
くの部品を用いて構成されている。
【０００６】
更に、汎用キャスターは、可動体（可動家具類）の下面に固定されて固定体に保持した
転動体（車輪類）と床面とは常に接地させて可動体の荷重を負担しており、椅子用キャス
ターなどは、可動時に更に荷重が負荷される構成になっている。又、可動体を定置して横
動きを抑制する制動機能の装備が不可欠になっている。
【０００７】
又、汎用キャスターを可動家具類に使用すると、床面と可動体の下面の間に設置するの
で可動体の設置高さが高くなって安定感と意匠性が乏しい構成になり、設置高さを低くし
て可動体と調和のとれたデザインが困難で、後付け設置が簡単にできず、制動機能を要
し、常時荷重を負担する構造となり、可動家具類に用いるには多くの課題を有している。
【０００８】
本発明は、上記のような従来の構成が有していた課題を解決しようとすると同時に、可
動体を一時的に移動して定置することを主目的として、この到達に向けて可動体と均整の
とれた安定した後付け設置が容易にできる簡素で簡便な構成にして、顧客志向を反映した
意匠性の優れたキャスターを考案して顧客ニーズに応える。
【課題を解決するための手段】
【０００９】
上記目的を達成するのに、その課題を解決するために以下の手段により対処する。可動
体に固定する固定体及び前記固定体に保持される転動体を有するキャスターとして、前記
固定体は、前記可動体に固定するための固定座及び固定座面と、前記転動体を前記可動体
の側面側、かつ、前記可動体の下面より上側で保持する保持部を有し、前記保持部は、床
面との間に隙間を設けて前記転動体を浮かせて配置する転動体受け部を有し構成している。前述のような構成にすることで、先行技術では前記可動体の前記下面に前記固定体を４箇所に設置して常時、前記可動体の荷重が負荷されており、横動きを抑制するのに制動機能が装備されている。本発明では、前記固定体を前記可動体の前後方向の片方に１箇所又は２箇所に設置して前記転動体を前記床面から浮かせて取付け、定置状態では荷重が掛からないように前記可動体を前記床面に接地して定置させ、又、可動時には、前記可動体の片方を少し持ち上げて、その傾斜により前記転動体と前記床面との接地により前記可動体の荷重を負担して移動を行い、傾斜を戻して前記転動体を浮かせて無負荷状態にし、前記可動体が自重で接地して定置するので制動装備が不要になり省略している。又、前記固定体は前記可動体の側部に取付けるので先行技術文献１及び２と比較して、前記可動体の取付け高さを低く抑えることができる。更に、本発明は、従来品と比較して安定性及び意匠性を向上させて小型簡素化と軽量化を行い、後付け設置を容易にした簡便な構成としている。
【００１０】
更に、前記可動体に固定して使用される前記固定体は、平状固定部材を有し、前記平状
固定部材によって前記固定座及び固定座面を形成している。前記平状固定部材は前記保持
部の両側面に前記転動体を保持させており、前記可動体の前記側面に前記固定座及び固定
座面を固定して前記平状固定部材は前記転動体より小型にし、前記床面と前記転動体との
間の前記隙間を絨毯など床材のへこみに合わせた調整を可能にしている。
【００１１】
前記固定体は、更に、前記床面と接する前記床接地座及び床接地座面と対抗して位置
し、前記可動体の前記下面と接する前記可動体接地座を有し形成しており、前記可動体接
地座は前記床面と前記可動体の前記下面との間に取付けて前記可動体の取付け高さを低く
抑えている。又、前記可動体接地座は前記可動体の前記下面と合致して固定しており負荷
される荷重に対し強度的には有利な構成にしている。
【００１２】
更に、前記可動体に固定して使用される前記固定体は、Ｌ形状固定部材を有し、前記Ｌ
形状固定部材によって、前記固定座及び固定座面と、前記可動体接地座面が形成する。前
記固定座面及び前記可動体接地座面は、前記可動体の前記側面及び前記下面に合致させて
固定するので位置合わせが容易で強固に固定することができる。
【００１３】
更に、前記可動体に固定して使用される前記固定体は、両端が解放する筒状固定部材を
有し、前記筒状固定部材の内面によって前記固定座及び固定座面を形成しており、前記固
定座及び固定座面には、前記固定体の前記内面に前記可動体をはめ込んで前記床面と前記
転動体との間の前記隙間を設けて前記可動体を取付け、前記保持部の両側面に前記転動体
を取付けており、前記固定体は前記可動体と均整のとれたデザインが容易にできる構成に
している。
【００１４】
更に、前記可動体に固定して使用される前記固定体は、一端が閉じた箱状固定部材を有
し、前記箱状固定部材の前記内面によって前記固定座面及び、前記可動体接地座面を形成
しており、前記固定座及び固定座面と前記可動体接地座面には、前記内面に前記可動体を
はめ込んで前記側面と前記下面を合致させて固定し、前記保持部の両側面に前記転動体が
保持させ、前記床面との前記隙間の調整を不要にしており、前記固定体は前記可動体と均
整のとれたデザインが容易にできる構成にしている。
【００１５】
可動体に固定する固定体及び前記固定体に保持される転動体を有するキャスターであっ
て、前記固定体は、前記可動体の側面と接する固定座及び固定座面、前記転動体を前記可
動体の前記側面側、かつ、前記可動体の下面より下側で保持する保持部を有し、前記保持
部は、前記床面と前記転動体との間に隙間を設けて前記転動体を浮かせて配置する前記転
動体受け部を有し構成している。この前記固定体は、前記可動体の前記下面及び前記側面
に固定して前記保持部の中央に前記転動体が保持しており、さまざまな形状の前記可動体
の用途に対応させている。
【００１６】
又、前記可動体に固定して使用される前記固定体は、凹状固定部材を有し、前記凹状固
定部材によって、前記固定座及び固定座面と前記可動体接地座面を形成しており、前記固
定体は、前記可動体の前記側面及び前記下面の何れの面に取付けても前記転動体を前記床
面から浮かせた取付けができる構成にしている。
【００１７】
又、前記可動体に固定して使用される前記固定体は、フラット状固定部材を有し、前記
フラット状固定部材によって、前記固定座及び固定座面と前記可動体接地座面を形成し前
記可動体の前記下面に合致して取付けて取付け高さを低くしており、前記転動体を前記床
面から浮かせた取付けができる構成にしている。
【発明の効果】
【００１８】
請求項１で示すように、可動体に固定する固定体及び前記固定体に保持される転動体を
有する構成のキャスターであって、前記固定体は、前記可動体に固定するための固定座及
び固定座面と、前記転動体を前記可動体の前記側面側、かつ、前記可動体の下面より上側
で支持する保持部を有し、前記保持部は、前記転動体と床面との間に隙間を設けて前記転
動体を浮かせて配置する転動体受け部を有し構成しており、この構成にしたことにより、
従来品に対し、前記固定体が半減し、制動装備の省略により制動操作が不要になり、負担
荷重の軽減による小型簡素化と軽量化を可能にしている。更に、この構成による相乗効果
として、前記可動体と前記固定体の保持力の低減、後付け設置性の向上、使い易さの向上、製造コストの低減、耐久性の向上、床面損傷の低減、前記可動体の側部に取り付けに
よる意匠性の向上等、さまざまな効果が得られる。又、使用例として、例えば、従来品で
は二人がかりで持ち上げて移動しているテーブルでは、本発明では一人で片方を少し持ち
上げて移動後、手を離して定置させることができるのに対し、従来品では軽い力で移動し
た後に4箇所の制動装備に面倒な回転止め操作を行い定置させている。
【００１９】
請求項２で示すように、前記転動体を保持して前記可動体に固定して使用される前記固
定体は、平板状固定部材を有し、前記平板状固定部材を用いることによって前記固定体は
小型化が可能になり、その両側面に前記転動体を配置して前記隙間の調整を容易にしてコ
ンパクトで安価な構成を可能にしている。
【００２０】
請求項３で示すように、前記転動体を保持して前記可動体に固定して使用される前記固
定体は、更に、床面と接する前記床接地座及び床接地座面と対抗して位置し、前記可動体
の下面と接する前記可動体接地座面及び、前記フラット状固定部材を有し形成されている。この構成は、従来品に対し、前記可動体は、前記可動体接地座面を介し固定されるので、取付け高さが低くなって外観の見映えがよくなり、而も、前記固定体には可動時のみ荷重を負荷して簡素で小型化している。
【００２１】
請求項４で示すように、前記転動体を保持して前記可動体に固定して使用される前記固
定体は、Ｌ形状固定部材を有し、前記Ｌ形状固定部材によって、前記固定座及び固定座、前記可動体接地座面が形成されている。この構成は、従来品に対し、前記Ｌ形状固定部材は、安価で前記可動体の前記側面と前記下面に固定されるので、さまざまな寸法の前記可動体と安定した強固な取り付けができる利点を有している。
【００２２】
請求項５で示すように、前記転動体を保持して前記可動体に固定して使用される前記固
定体は、両端が解放する筒状固定部材を有し、前記筒状固定部材の内面より前記固定座及
び固定座面が形成されている。従来品に対し、前記筒状固定部材は、前記転動体受け部の
両面で転動体を保持して前記内面に前記可動体を嵌め込んで固定されており、前記固定体
の取付け高さが低くして前記可動体の形状に合わせたデザインを可能にして、前記可動体
を嵌め込み固定できる後付け設置が容易な構成としている。
【００２３】
請求項６で示すように、前記転動体を保持して前記可動体に固定して使用される前記固
定体は、一端が閉じられる箱状固定部材を有し、前記箱状固定部材の前記内面によって前
記固定座及び固定座面と前記可動体接地座面が形成されている。従来品に対し、前記箱状
固定部材は、前記転動体受け部の両面で前記転動体を保持して前記内面に前記転動体をは
め込んで固定しており、従来品に対し、前記固定体の取付け高さを低くして前記可動体の
形状に合わせた均整のとれたデザインが可能になり、前記可動体をはめ込むだけで前記床
面との隙間調整を不要にして簡単に安定した取付けができる効果を有している。
【００２４】
請求項７で示すように、可動体に固定する前記固定体及び前記固定体に保持される前記
転動体を有するキャスターであって、前記固定体は、前記可動体の前記側面と接する前記
固定座及び固定座面、前記転動体を前記可動体の前記側面側、かつ、前記可動体の前記下
面より下側で支持する前記保持部を有し、前記保持部は、前記床面と前記転動体の前記床
面との間に隙間を設けて前記転動体を浮かせて配置する前記転動体受け部を有し構成して
いる。この構成では、従来品に対し、前記可動体の下部に前記転動体を浮かせて前記固定
体を取付けて、常時、荷重が掛からず、可動時にのみ前記可動体の傾斜により前記転動体
が接地して荷重を負担させ、傾斜を戻して定置させており、制動機能の省略により小型簡
素化を図り、使い勝手を簡便にしている。更に、この構成にしたことにより、前記固定体
は前記可動体の形状に応じて前記下面及び前記側面に兼用できる効果を有している。
【００２５】
請求項８で示すように、前記転動体を保持して前記可動体に固定して使用される前記固
定体は、凹形状固定部材を有し、前記凹形状固定部材によって、前記固定座及び固定座面
を形成している。従来品に対し、前記凹形状固定部材は、前記可動体の前記下面及び前記
側面に設置できるようにしており、前記可動体の形状に合わせたデザインが容易にできる
効果を有している。
【００２６】
上述したように、本発明のキャスターは、従来品に対し、通常は荷重が掛からず、可動
時にのみ一時的に荷重を負担させる構成にして制動装備を省略して簡素化を可能にして、
小型軽量化、固定時の保持力の低減、耐久性を向上させている。
【００２７】
更に、前記可動体の側部に前記固定体を配置して前記可動体の高さを変えずに同じ高さ
で前記固定体の取付けが可能になり、それによって安定性が増し均整のとれたデザインが
可能になり、誰でも簡単に後付け設置ができて使い易くしており、更に、前記可動体の片
方を持ち上げて傾斜して可動を行い、傾斜を戻して定置させて制動操作が不要になり、安
価に製造できて利便性を有し、顧客ニーズを満足させる効果が期待できる。
【図面の簡単な説明】
【００２８】
本発明の実施形態の一例を図１〜図７に示しており、この簡単な図面の説明を以下に記
述する。
【００２９】
【図１】本発明の正面図で、可動体が接地(a)と傾斜(b)の状態を示している。
【図２】本発明の平面図で、固定体が平状(a)とＬ状(b)を示している。
【図３】本発明の正面図で、可動体が接地(a)と傾斜(b)の状態を示している。
【図４】本発明の平面図で、固定体が筒状(a)(b)と箱状(c)(d)を示している。
【図５】本発明の正面図で、可動体が接地(a)と傾斜(b)の状態を示している。
【図６】本発明の平面図(a)(c)と正面図(b)(d)で、固定体が凹状を示している。
【図７】本発明の平面図(a)(c)と正面図(b)(d)で、固定体がフラット状を示している。
【発明を実施するための形態】
【００３０】
以下、本発明の実施形態の一例を、請求項１〜８及び、図１〜図７に基づいて実施する
ための形態について記述する。
【００３１】
請求項１及び、図１(a)(b)で示すように、可動体１に固定する固定体２及び前記固定体
２に保持される転動体３を有するキャスター４であって、前記固定体２は、床面５と接す
る床接地座及び床接地座面６、前記可動体１の側面７と接する固定座及び固定座面８、前
記転動体３を前記可動体１の前記側面７側、かつ、前記可動体１の下面９より上側で保持
する保持部１０を有し、前記保持部１０は、前記床面５と前記転動体３との間に隙間１１
を設けて前記転動体３を浮かせて配置する転動体受け部１２、を有し形成している。その
構造として、前記固定体２は、前記転動体３を保持して前記可動体１に取付け、更に、そ
の動作として、前記可動体１の傾斜により前記転動体３を前記床面５に接地して可動を行
い、通常は前記可動体１を前記床面５に接地しており、前記転動体３は浮かせて定置して
いる。
【００３２】
図１(a)は、前記固定体２の前記可動体接地座面１４を有する前記固定体２の前記床接地座及び床接地座面６と前記床面５との接地状態を示し、前記転動体３と前記床面５との間の前記隙間１１を示している。
【００３３】
図１(b)は、前記固定体２の前記床接地座及び床接地座面６が傾斜して前記転動体２と前記床面５との接地状態を示し、前記固定体２の下面９と前記床面５との間の前記隙間１１を示している。
【００３４】
更に、請求項２及び、図２(a)、図３(a)で示すように、前記固定体２は、平形状固定部
材１３を有し、前記平形状固定部材１３によって前記固定座及び固定座面８が形成される。前記固定座及び固定座面８は、前記転動体３と略同じ高さ寸法にして前記可動体１の前記側面７に取付けられ、転動体受け部１２の両側面で保持された前記転動体３と前記床面５との所望する前記隙間１１を確保して前記可動体１に取付けて構成される。る。又、前記固定体２と前記転動体３は、意匠性を高めるのにカバーで覆うことができる。
【００３５】
図２(a)は、前記固定体２を前記Ｌ形状固定部材１５にした場合で、図２(b)は、前記固
定体２を前記平板状固定部材１３にした場合を示している。
【００３６】
図３(a)は、前記Ｌ形状固定部材１５の接地状態を示しており、前記床面５と前記床接地座及び床接地座面６を接地させている。更に、前記可動体１の前記下面９と前記可動体接地座面１４を接地させて前記転動体３と前記床面５との間で隙間１１を設けている。
【００３７】
更に、請求項３、４及び、図２(b)、図３(b)、図７、で示すように、前記固定体２は前
記床面５と接する前記床接地座及び床接地座面６と対抗して位置し、前記可動体１の下面
９と接する前記可動体接地座面１４を有するＬ形状固定部材１５及びフラット状固定部材
２０は、前記可動体１の前記側面又は、前記下面９に前記固定座及び固定座面８と前記可
動体接地座面１４及び、前記フラット状固定部材２０を合致して取付け、前記転動体受け
部１２の側面又は中央で前記転動体３は保持されて前記隙間１１の調整を不要にしている。
【００３８】
更に、請求項５及び、図４(a)(b)、図５(a)で示すように、前記固定体２は、両端が解放する筒状固定部材１６を有し、前記筒状固定部材１６の内面１７によって前記固定座及び固定座面８が形成されている。前記固定座面８には、前記可動体１を前記筒状固定部材１６の内面１７に組み入れて転動体受け部１２の両側面で保持された前記転動体３と前記床面５との所望する前記隙間１１を設けて前記可動体１に取付けている。又、前記筒状固定部材１６の前記内面１７の形状は丸形及び角形にして前記可動体１の形状に合わせて嵌め込み、P及びp/２の力で保持させることができる。
【００３９】
図４(a)(b)は、前記固定体２を前記箱状固定部材１８にした場合で、図４(c)(d)は、前
記固定体２を前記筒状固定部材１６にした場合を示しており、内面１７の形状は角形と丸
形にした場合を示している。前記内面１７には、それぞれ形状の異なる前記可動体１を組
み込み押付力p→と反力p/２←で保持している。
【００４０】
図５(a)は、前記箱状固定部材１８の接地状態を示しており、前記床面５と前記床接地座及び床接地座面６を接地させている。更に、前記可動体１の前記下面９と前記可動体接地座面１４を接触させており、前記転動体３と前記床面５との間で隙間１１を有している。
【００４１】
更に、請求項６及び、図４(c)(d)、図５(b)で示すように、前記固定体２は、一端が閉じた箱状固定部材１８を有しており前記箱状固定部材１８の前記内面１７により前記固定座面８及び前記可動体接地座面１４が形成されている。前記固定座及び固定座面８及び前記可動体接地座面１４には、前記可動体１を前記箱状固定部材１８の内面１７に嵌め込み転動体受け部１２の両側面で前記転動体３は保持され、前記床面５との前記隙間１１の調整を不要にしている。又、前記筒状固定部材１６の前記内面１７の形状は丸形及び角形にして前記可動体１の形状に合わせて嵌め込みP及びp/２の力で保持させることができる。
【００４２】
図５(b)は、前記筒状固定部材１６を傾斜させた状態を示しており、前記可動体１の前記下面９と前記床接地座及び床接地座面６が傾斜して前記床面５との間で定置時に隙間１１を有している。
【００４３】
請求項７、８、及び、図６で示すように、可動体１に固定する固定体２及び前記固定体
２に保持される前記転動体３を有するキャスター４であって、前記固定体２は、前記床面
５と接する前記床接地座及び床接地座面６、前記可動体１の前記側面７と接する前記固定
座及び固定座面８、前記転動体３を前記可動体１の前記側面７側、かつ、前記可動体１の
前記下面９より下側で保持する保持部１０を有し、前記保持部１０は、前記床面５と前記
転動体３との間に前記隙間１１を設けて前記転動体３を浮かせて配置する前記転動体受け
部１２、を有し構成されている。円筒状の前記転動体３を保持される凹形固定部材１９は、前記可動体１の前記下面９と前記固定座及び固定座面８を合致させて固定を行い、前記可動体１の傾斜により前記転動体３を前記床面５に接地させて可動を行い、又、前記床接地座及び床接地座面６が前記床面５に接地して定置させている。
【００４４】
図６(a)(b)は、前記凹形板状固定部材１９を前記可動体１の前記側面７に固定して前記
可動体１の前記下面９と前記床面５は接地した状態を示し、前記転動体３と前記床面５と
の間では隙間１１を有している。
【００４５】
図６(c)(d)は、前記凹形板状固定部材１９にして前記可動体１の下面９に固定し、前記
床面５と前記凹形板状固定部材１９の接地状態を示し、前記転動体３と前記床面５との間
では隙間１１を有している。
【００４６】
図７(a)(b)は、前記固定体２をフラット状固定部材２０にして前記可動体１の下面９に
固定して前記床面５と前記フラット状固定部材２０の接地状態を示し、２輪の前記転動体
３と前記床面５との間では隙間１１を有している。
【００４７】
図７(c)(d)は、前記固定体２を前記フラット状固定部材２０にして前記可動体１の下面
９に固定した可動状態で、前記床面５と前記転動体３とは設置しており、前記床面５前記
可動体接地座面１４との間では隙間１１を有している。
【００４８】
更に、請求項８及び、図６、で示すように、前記固定体２は、凹形状固定部材１９を有
し、前記凹形状固定部材１９によって、前記固定座及び固定座面と、前記床接地座及び床
接地座面６が形成されており、前記隙間１１調整を不要にして前記可動体１の形状に合わ
せた均整のとれた意匠の生成を可能にしている。
【００４９】
更に、本発明の実施形態について図１〜図７に基づく補足説明を以下に記述する。
【００５０】
図１で示すように、前記転動体３は球状にして床面を傷めない材料を用い、前記固定体
２は前記可動体１にマッチしたデザインを可能にしており、前記可動体１が木製の場合、
木製と調和のとれた前記固定体２のデザインを可能にして前記可動体２を嵌め込み外れな
いように保持して使用できるようにしている。
【００５１】
図１(a)は、通常の定置状態であり、前記転動体３は浮かせて前記固定体２は前記可動体１の前記下面９を前記床面５に接地させて荷重が掛からないようにしている。
【００５２】
図１(b)は、前記可動体１の可動状態を示しており、前記可動体１が傾斜すると前記転動体３が前記床面５と接地して前記可動体１は自在に可動させることができる。又、可動時において前記可動体１の荷重が前記固定体２に掛かり、而も、前記可動体１の自重の半分程度の荷重が掛かるようにしている。
【００５３】
更に、図２(a)(b)に示す前記固定体２は、板状部材をコの字に曲げた前記保持部１１を
有し、前記転動体受け部１２で前記転動体３を保持し、更に、前記転動体３を前記保持部
１０の中央部、及び、両側面に配置しており、この部材は負担荷重に応じた形状寸法及び
材料選定ができるようにしている。
【００５４】
更に、図３(a)に示す前記平状固定部材１３は、前記可動体１の前記側面７に前記転動体３と前記床面５との前記隙間１１を加減して固定できるようにしており、前記転動体３の下面までの高さ寸法は、前記床面５とのへこみを考慮して前記隙間１１が決定される。
【００５５】
更に、図３(b)で示す前記Ｌ形状固定部材１５は、前記可動体１の前記側面７と前記下面９に固定しており、前記床接地座及び床接地座面６より前記転動体３の中心までの高さ寸法は、前記床面５との前記隙間１１を考慮して決めることができる。又、前記隙間１１を確保するのに前記可動体１の取付け面を傾斜して形成することも可能にしている。
【００５６】
更に、図４(a)〜(d)に示す前記可動体１の保持は、前記内面１７の押付け力p→と反力
p/2←の２点でネジ・楔・緩衝材・接着材を用いて保持することができる。
【００５７】
更に、図５(a)で示す前記筒状固定部材１６は、前記内面１７に前記可動体１を嵌め込み前記隙間１１を設けて固定しており、前記下面９より前記転動体３の中心間の高さ寸法は、前記床面５との前記隙間１１を考慮して決定される。又、前記隙間１１を確保するのに前記可動体１の取付け面を傾斜して形成することも可能としている。
【００５８】
更に、図５(b)に示す前記箱状固定部材１８は、前記内面１７に前記可動体１を嵌め込み前記隙間１１を設けて固定しており、前記床接地座及び床接地座面６より前記転動体３の中心までの高さ寸法は、前記床面５との前記隙間１１を考慮して決められる。又、前記隙間１１を確保するのに前記可動体１の取付け面を傾斜して形成することも可能にしている。
【００５９】
更に、図６(a)(b)に示す前記凹形状固定部材１９は、前記可動体１の前記側面７に前記
転動体３と前記床面５との間の前記隙間１１を設けて固定しており、その固定方法は、ネ
ジ込み又は前記固定体２と嵌合部を一体にして前記可動体１に圧入して保持させる事がで
きる。
【００６０】
更に、図６(c)(d)に示す前記凹形状固定部材１９は、前記可動体１の前記下面９及び、
前記側面７に固定できるようにしており、その固定方法は、ネジ止め又は前記固定体２と
嵌合部を一体にして前記可動体１に圧入して保持することができる。
【００６１】
更に、図７(a)(b)に示すフラット状固定部材２０は、前記転動体を２輪にしてコンパク
トな構成にしており、前記可動体１の前記下面９に固定し、その固定方法は、接着、ねじ
止め、又は、前記固定体２と一体にした嵌合部を設け、前記可動体１に圧入して保持する
こともできる。
【００６２】
更に、図７(c)(d)に示すフラット状固定部材２０は、前記転動体を１輪にして種々の前
記可動体１の前記下面９に取付けを可能にしている。その固定方法は、ねじ止め、接着、又は、前記固定体２と一体にした凸状嵌合部を設け、前記可動体１を凹状にしてはめ込み保持することもできる。
【００６３】
以上のように、本実施形態によると、さまざまな形体の前記可動体に応じて均整のとれ
たデザインが容易で後付け設置が簡単にできる構成にしており、その用途として、椅子、
テーブル、キャビネット、踏み台、収納箱、テレビ台、ピアノ、ワゴンなど、前記可動体
の自重の半分程度を人力で移動と定置が可能な道具類に用いることができる。
【符号の説明】
【００６４】
１    可動体
２    固定体
３    転動体
４    キャスター
５    床面
６    床接地座及び床接地座面
７    側面
８    固定座及び固定座面
９    下面
１０    保持部
１１    隙間
１２    転動体受け部
１３    平状固定部材
１４    可動体接地座面
１５    Ｌ形状固定部材
１６    筒状固定部材
１７    内面
１８    箱状固定部材
１９    凹形状固定部材
２０    フラット状固定部材
【図１】
2015221612.tif 000003
【図２】
2015221612.tif 000004
【図３】
2015221612.tif 000005
【図４】
2015221612.tif 000006
【図５】
2015221612.tif 000007
【図６】
2015221612.tif 000008
【図７】
2015221612.tif 000009